(57)【要約】【課題】  処理する生ごみの種類を選ばず多種多様な生ごみを処理できる利便性の高い生ごみ処理装置を提供する。【解決手段】  生ごみを収納する容器１と、容器１内の生ごみを粉砕する粉砕手段と、容器１内の生ごみを加熱する加熱手段と、容器１に形成されて開閉切替可能な排水部６とを備えた。あるいは、容器１に形成されて一定温度以上になると開となる排水部を備え、この排水部を熱膨張係数の異なる材料で構成したり、形状記憶合金を使用した。【選択図】        図３
2005103414.tif 000002
【特許請求の範囲】
【請求項１】
生ごみを収納する容器と、容器内の生ごみを粉砕する粉砕手段と、容器内の生ごみを加熱する加熱手段と、容器に形成されて開閉切替可能な排水部とを備えたことを特徴とする生ごみ処理装置。
【請求項２】
生ごみを収納する容器と、容器内の生ごみを粉砕する粉砕手段と、容器内の生ごみを加熱する加熱手段と、容器に形成されて一定温度以上になると開となる排水部とを備えたことを特徴とする生ごみ処理装置。
【請求項３】
前記容器の排水部を熱膨張係数の異なる材料で構成したことを特徴とする請求項２記載の生ごみ処理装置。
【請求項４】
前記容器の排水部に形状記憶合金を使用したことを特徴とする請求項２記載の生ごみ処理装置。
【請求項５】
生ごみを収納する容器と、容器内の生ごみを粉砕する粉砕手段と、容器内の生ごみを加熱する加熱手段と、前記粉砕手段をＯＮ／ＯＦＦ制御すると共に、順次処理する複数の処理工程間を順方向から逆方向にループする条件を設け、任意の処理工程に順方向で進入した場合は粉砕手段の制御をＯＮ状態より開始する一方、任意の処理工程に逆方向で進入した場合は粉砕手段の制御をＯＦＦ状態より開始して、粉砕手段のＯＮ／ＯＦＦ制御を行う制御手段とを備えたことを特徴とする生ごみ処理装置。
【請求項６】
前記制御手段は、生ごみの加熱乾燥運転状態を検出する検出手段の出力と予め定められた条件に基づき、順方向又は逆方向に処理工程の移行を行うことを特徴とする請求項５記載の生ごみ処理装置。
【請求項７】
前記制御手段は、前記加熱手段を時間的に間欠駆動して出力制御したことを特徴とする請求項５又は請求項６記載の生ごみ処理装置。
【請求項８】
前記制御手段は、前記加熱手段を出力可変的に連続駆動して出力制御したことを特徴とする請求項５又は請求項６記載の生ごみ処理装置。
【発明の詳細な説明】
【技術分野】
【０００１】
本願発明は、一般家庭、病院、飲食店、ファーストフード店、コンビニエンスストア等で発生する厨芥やその他水分を比較的多く含む廃棄物である生ごみを加熱乾燥処理する生ごみ処理装置に関するものである。
【背景技術】
【０００２】
この種の生ごみ処理装置においては、生ごみを収納する容器の底壁に排水の排出口やドレン孔を設けたものがある（例えば、特許文献１，２参照）。
【０００３】
また、多種多様の生ごみを処理するために、回転カッターの回転数を複数の処理工程毎に切り替え、各処理工程毎に切り替え時間及び回転数を制御するようにしたものがある（例えば、特許文献２参照）。
【０００４】
【特許文献１】特開平１１−３３３４１５号公報（図２）
【特許文献２】特開２００２−３７００７９号公報（図３，図１７）
【発明の開示】
【発明が解決しようとする課題】
【０００５】
しかしながら、生ごみは多種多様であり、固体の大きさ、容量、重量、含水率、含油率、粘度等が一定ではない。油分の多い生ごみの場合、油分を容器の排水部から排油しないで処理すると、べとべとした状態の処理仕上がりとなったり、耐熱性の樹脂が溶解するほどの温度となり、生ごみを収納する容器の破損につながったりする。
【０００６】
一方で、コンビニエンスストア等の賞味期限切れの弁当やパンなどのように水切りを行う必要のない生ごみに対しては、生ごみを収納する容器の排水部は全く不要であり、逆に排水部に微細ごみが進入して容器外に落下し、清掃の手間が増えるのみであるというような問題があった。このように、生ごみを収納する容器の排水部は、処理する生ごみの種類によって必要な場合と不要な場合がある。
【０００７】
また、特許文献２に記載されたものでは、多種多様な生ごみを処理するにあたり、回転カッターの各処理工程毎の切り替え時間及び回転数を制御している。これは、タッチ操作パネルへのタッチ入力により生ごみの種類を選択し、回転カッターの各処理工程毎の切り替え時間及び回転数をタッチ入力により設定できるようにするものである。しかしながら、現実を考えると、生ごみには複数の種類の生ごみが混在するため、固体の大きさ、容量、重量、含水率、粘度等が一定ではない。従って、予め設定した処理工程では処理しきれず、乾燥が不足したり、処理物の粒度が大きいなどの処理が不完全になる場合があった。
【０００８】
そこで、本願発明はこのような課題を解決するためになされたものであり、処理する生ごみの種類を選ばず多種多様な生ごみを処理できる利便性の高い生ごみ処理装置を提供することを目的とするものである。
【課題を解決するための手段】
【０００９】
上記のような目的を達成するために、本願発明は、生ごみを収納する容器と、容器内の生ごみを粉砕する粉砕手段と、容器内の生ごみを加熱する加熱手段と、容器に形成されて開閉切替可能な排水部とを備えたことを特徴とするものである。
【００１０】
一方、生ごみを収納する容器と、容器内の生ごみを粉砕する粉砕手段と、容器内の生ごみを加熱する加熱手段と、容器に形成されて一定温度以上になると開となる排水部とを備えたことを特徴とするものである。
【００１１】
さらに、前記容器の排水部を熱膨張係数の異なる材料で構成したことを特徴とするものである。
【００１２】
また、前記容器の排水部に形状記憶合金を使用したことを特徴とするものである。
【００１３】
一方、生ごみを収納する容器と、容器内の生ごみを粉砕する粉砕手段と、容器内の生ごみを加熱する加熱手段と、前記粉砕手段をＯＮ／ＯＦＦ制御すると共に、順次処理する複数の処理工程間を順方向から逆方向にループする条件を設け、任意の処理工程に順方向で進入した場合は粉砕手段の制御をＯＮ状態より開始する一方、任意の処理工程に逆方向で進入した場合は粉砕手段の制御をＯＦＦ状態より開始して、粉砕手段のＯＮ／ＯＦＦ制御を行う制御手段とを備えたことを特徴とするものである。
【００１４】
また、前記制御手段は、生ごみの加熱乾燥運転状態を検出する検出手段の出力と予め定められた条件に基づき、順方向又は逆方向に処理工程の移行を行うことを特徴とするものである。
【００１５】
また、前記制御手段は、前記加熱手段を時間的に間欠駆動して出力制御したことを特徴とするものである。
【００１６】
あるいは、前記制御手段は、前記加熱手段を出力可変的に連続駆動して出力制御したことを特徴とするものである。
【発明の効果】
【００１７】
本願発明によれば、生ごみを収納する容器に形成されて開閉切替可能な排水部を備えることにより、油分が多い生ごみの場合は排水部を開に切り替えることによって油分が排出されるので、べとべとした状態の処理仕上がりとなったり、耐熱性の樹脂が溶解するほどの温度となり容器の破損につながったりすることがなくなる。一方、水切りを行う必要のない生ごみの場合は排水部を閉に切り替えることによって、容器外に微細な生ごみが落下することがないため、清掃の手間が増えない。従って、処理する生ごみの種類を選ばず多種多様な生ごみを最適に処理できる利便性の高い生ごみ処理装置を提供することができる。
【００１８】
一方、生ごみを収納する容器に形成されて一定温度以上になると開となる排水部を備えることにより、油分が多い生ごみの場合は一定温度以上になると排水部が自動的に開となって油分が排出されるので、べとべとした状態の処理仕上がりとなったり、耐熱性の樹脂が溶解するほどの温度となり容器の破損につながったりすることがなくなる。一方、水切りを行う必要のない生ごみの場合は油分も少なく一定温度以上とならずに排水部は閉のままであるので、容器外に微細な生ごみが落下することがないため、清掃の手間が増えない。従って、処理する生ごみの種類を選ばず多種多様な生ごみを最適に処理でき、更に利便性の高い生ごみ処理装置を提供することができる。
【００１９】
さらに、前記容器の排水部を熱膨張係数の異なる材料で構成することにより、自動排水を比較的容易に実現できる。
【００２０】
また、前記容器の排水部に形状記憶合金を使用することによっても実現可能である。
【００２１】
一方、粉砕手段をＯＮ／ＯＦＦ制御すると共に、順次処理する複数の処理工程間を順方向から逆方向にループする条件を設け、任意の処理工程に順方向で進入した場合は粉砕手段の制御をＯＮ状態より開始する一方、任意の処理工程に逆方向で進入した場合は粉砕手段の制御をＯＦＦ状態より開始して、粉砕手段のＯＮ／ＯＦＦ制御を行う制御手段を備えることにより、生ごみの種類によって処理工程をループする回数が頻繁になっても粉砕手段が頻繁にＯＮ状態となることがないので、生ごみが餅状などになって処理に支障を及ぼすことがなくなる。従って、処理する生ごみの種類を選ばず多種多様な生ごみを自動的に処理できる利便性の高い生ごみ処理装置を提供することができる。
【００２２】
また、前記制御手段は、生ごみの加熱乾燥運転状態を検出する検出手段の出力と予め定められた条件に基づき、順方向又は逆方向に処理工程の移行を行うことにより、処理精度が向上する。
【００２３】
また、前記制御手段は、前記加熱手段を時間的に間欠駆動して出力制御するようにすると、最終処理の場合の加熱過剰を防止することが容易となり望ましい。
【００２４】
あるいは、前記制御手段は、前記加熱手段を出力可変的に連続駆動して出力制御することによっても、最終処理の場合の加熱過剰を防止することが容易となり望ましい。
【発明を実施するための最良の形態】
【００２５】
以下、本願発明の実施形態を具体的な実施例を示す図面を参照して詳細に説明する。
【実施例１】
【００２６】
図１は本願発明による生ごみ処理装置の実施例１の要部構成を示す縦断面図、図２は同じく、その容器の拡大図、図３は容器底面の排水部の開状態を示す図、図４は同じく閉状態を示す図である。
【００２７】
本実施例の生ごみ処理装置は、耐熱性を有するマイクロ波透過材料（樹脂等）で形成された有底筒状の容器１内に厨芥等の生ごみを収納して、容器１を回転すると共に、回転刃２で粉砕・攪拌しながらマイクロ波を照射して加熱乾燥処理するものである。
【００２８】
上記回転刃２は、両側とも回転軸３の軸受部４から容器１の底縁に向かって伸びた形状を有している。この回転刃２は、回転軸３の間欠的な高速回転に伴い、容器１内で間欠的に高速回転するように配設されている。回転軸３の容器１下面側に貫通する下端には、後述する回転刃駆動用モータ２０の駆動力を着脱自在に伝達するための上カップリング５が設けられている。
【００２９】
上記容器１の底面には、図２〜図４に示すように、生ごみからの排出油水を容器１から排出させるための排水部６が形成されている。本実施例では、排水部６を開閉切替可能とするため、円弧状の複数の排水スリット７と、摘み８を有するスライド式のシャッター９が設けられている。
【００３０】
上記シャッター９を図３に示すように開位置で固定すると、生ごみからの排出油水は排水スリット７を通り、容器１から排出され、後述する処理室１４の底面を介して、図示はしていないが処理室１４外に配設してある油水容器内に収集される。一方、シャッター９を図４に示すように閉位置で固定すると、排水スリット７が塞がれ、容器１底面は完全に密閉されるため、排水部６から微細ごみなどが容器１外に放出されることがない。
【００３１】
一方、図１に戻って、上記容器１の下面側には、後述する容器駆動用モータ１６の駆動力を着脱自在に伝達するための上カップリング１０が突出形成されている。また、容器１上部には起倒自在な取手１２が取り付けられている。
【００３２】
上述した容器１は、本体ケース１３内に設けられた上面開放の処理室１４内に着脱自在に収納される。この処理室１４はマイクロ波を透過しない金属製のマイクロ波遮蔽室で、その底部には容器１を載置する受皿１５が回転自在に設けられている。この受皿１５は、処理室１４下方の本体ケース１３内に設けられた容器駆動用モータ１６にプーリ１７やベルト１８等を介して連結されて回転駆動される。受皿１５内には下カップリング１９が形成され、容器１の下面側に突出形成された上カップリング１０を受皿１５に載置嵌合して下カップリング１９に係合することにより、容器１を回転させることができるようになっている。さらに、受皿１５内の中央部には、処理室１４下方の本体ケース１３内に設けられた回転刃駆動用モータ２０の出力軸２１に形成された下カップリング２２が回転自在に露出しており、この下カップリング２２に容器１内の回転刃２の回転軸３下端に形成された上カップリング５が係合することにより、回転刃２を回転させることができるようになっている。
【００３３】
上記処理室１４の上面開口２３は、本体ケース１３の上面側にヒンジ２４にて開閉可能に取り付けられたマイクロ波遮蔽蓋体２５で閉塞されるようになっている。この蓋体２５には、蓋体２５を開閉する際に使用する把手２６が設けられている。
【００３４】
また、処理室１４の一方の側壁２６側の本体ケース１３内にはマイクロ波を発生するマグネトロン２７が備えられており、処理室１４の側壁２６を開口して装着されたマイクロ波透過カバー２８を通して、マイクロ波を透過する容器１内の生ごみにマイクロ波を照射することにより、生ごみを加熱するようになっている。上記カバー２８は、マイクロ波を吸収し難く耐熱性を有する樹脂（ここではＰＰ樹脂）により形成され、生ごみを回転刃２により粉砕しながら乾燥した際に発生する微粉がマグネトロン２７に付着するのを防止している。
【００３５】
上記マグネトロン２７の下方の本体ケース１３内には吸気ファン２９が設けられており、吸気ファン駆動用モータ３０によって回転駆動される。この吸気ファン２９は、本体ケース１３の側壁下部に形成された吸気孔３１から外気を吸い込んで、マグネトロン２７を介して、処理室１４の側壁２６上方に形成された給気孔３２から処理室１４内に外気を供給するものである。吸気ファン２９により強制吸気された外気がマグネトロン２７を通過することにより、マグネトロン２７が効率良く冷却される。
【００３６】
また、本体ケース１３内の他側の下部には排気ファン３３が設けられており、排気ファン駆動用モータ３４によって回転駆動される。この排気ファン３３は、処理室１４の他方の側壁２６上部に形成された排出孔３５から本体ケース１３の側壁下部に形成された排気口３６を介して処理室１４内の空気を外部に強制排気するものである。
【００３７】
さらに、前記蓋体２５の裏面には、蓋体２５を閉じた状態で処理室１４の上面開口２３内に突出する略円筒形状のダクト３７が形成されている。このダクト３７は、蓋体２５を閉じた状態で、ダクト３７の下端が容器１の内側に入り込むように形成されており、ダクト３７側の開口周縁が容器１側の開口周縁の内側にオーバーラップする構成となって、粉砕生ごみ等の容器１外への飛散を防止している。また、ダクト３７は、仕切壁３８により吸気経路３９と排気経路４０とに区画されている。
【００３８】
吸気経路３９は、ダクト３７の一側に形成された吸気口４１を介して前述した処理室１４内への外気の給気孔３２と容器１内とを連通している。また、排気経路４０は、ダクト３７の他側に形成された排気孔４２を介して前述した処理室１４からの排出孔３５と容器１内とを連通している。
【００３９】
なお、処理室１４内の側壁には、前後左右の４箇所に等間隔に突部４３が形成されており、この突部４３の先端が容器１側壁に近接する位置まで延設され、回転する容器１の倒れを防止している。また、処理室１４外の両側壁上部には、吸気側と排気側にそれぞれ温度センサ５１と湿度センサ５２が取り付けられている。
【００４０】
このように構成された生ごみ処理装置においては、容器１内に生ごみを投入し、生ごみが投入された容器１を処理室１４内に収納して蓋体２５を閉塞し、図示しない電源スイッチを入れ、操作部を操作するという手順で運転操作が行われる。
【００４１】
生ごみの乾燥運転初期は、容器駆動用モータ１６により容器１を回転しながらのマグネトロン２７による加熱と、吸気ファン２９及び排気ファン３３による容器１内の空気の吸排気により、生ごみから水分が除去されると共に、容器１内の温度は上昇する。回転刃２の駆動は湿度センサ５２の出力に基づいて制御部によって制御され、容器１内の湿度が低下すると回転刃２を駆動するようになっている。
【００４２】
すなわち、マグネトロン２７から発生するマイクロ波は水分に吸収される特性があるため、生ごみの乾燥運転初期から回転刃２を駆動して、生ごみを粉砕・攪拌すると、生ごみから発生して容器１内に溜まった多量の水分にマイクロ波が吸収されてしまい、マイクロ波により生ごみを加熱できなくなる。
【００４３】
また、生ごみを運転開始当初から粉砕・攪拌すると糊状になったり粘性により団塊状になり、生ごみ内部の乾燥効率が低下する。
【００４４】
従って、生ごみの乾燥運転初期は、回転刃２の駆動は行わず、湿度センサ５２により容器１内の湿度低下を検出した後に、回転刃２を駆動させ、回転刃２の駆動により容器１内の湿度が上昇すると回転刃２の駆動を停止させるようになっている。
【００４５】
また、容器駆動用モータ１６により容器１を回転させているのは、マグネトロン２７による生ごみの加熱ムラを防止して均一に加熱するためである。
【００４６】
生ごみの乾燥運転中期以降は、生ごみの乾燥効率を向上させるために、回転刃駆動用モータ２０を間欠的に駆動させて生ごみを粉砕・攪拌する。
【００４７】
生ごみの乾燥運転中期には、マグネトロン２７からの加熱量と生ごみの水分が気化する際に奪われる気化熱とが釣り合い、容器１内の温度は略一定になるが、生ごみの乾燥が進行すると生ごみの水分が気化する際に奪われる気化熱が減少するため、容器１内の温度は上昇する。本実施例においては、容器１内の温度が摂氏７０度まで上昇し、温度センサ５１がこの温度を検出すると、乾燥が終了したと制御部は判断し、加熱手段であるマグネトロン２７を停止させるようになっている。
【００４８】
この時、乾燥した生ごみの温度は高く、使用者が誤って生ごみに触れると火傷する畏れがあるため、吸気ファン２９と排気ファン３３を継続して駆動させて容器１内の温度を低下させてから乾燥終了の報知を行う。この乾燥終了の報知を使用者が確認してから、蓋体２５を開放して容器１を取り出すことにより、生ごみの乾燥処理物を安全に廃棄することができる。
【００４９】
本実施例では、生ごみを収納する容器１に開閉切替可能な排水部６が備えられているので、処理する生ごみの種類に応じて、前述したようにして排水部６のシャッター９を操作して、油分が多い生ごみの場合は排水部６を開に切り替えることによって油分が排出されるので、べとべとした状態の処理仕上がりとなったり、耐熱性の樹脂が溶解するほどの温度となり容器１の破損につながったりすることがなくなる。一方、水切りを行う必要のない生ごみの場合は排水部６を閉に切り替えることによって、容器１外に微細な生ごみが落下することがないため、清掃の手間が増えない。従って、処理する生ごみの種類を選ばず多種多様な生ごみを最適に処理できる利便性の高い生ごみ処理装置を実現することができる。
【実施例２】
【００５０】
図５は、本願発明による生ごみ処理装置の実施例２において生ごみを収納する容器の縦断面図、図６はその要部拡大図で、（ａ）は排水部の開状態、（ｂ）は閉状態を示しており、前記実施例と同一又は相当部分には同一符号を用いている。なお、生ごみ処理装置全体の構成は前記図１と同様である。
【００５１】
前記実施例では、開閉切替可能な排水部６を備えて手動で開閉するように構成したが、本実施例では排水部６０が自動的に開閉するように工夫したものである。
【００５２】
図５に示すように、容器１の底面には排水部６０が設けてある。具体的には、図６に示すように、容器１の底面には排水スリット６１が形成されており、その下側に容器１よりも熱膨張係数の大きな材料で形成された排水部材６２が装着されている。排水部材６２側にもスリット６３が形成されているが、容器１の耐熱温度に対して約１０℃の余裕度までは、図６（ａ）に示すように排水スリット６１を排水部材６２が塞ぎ、容器１の耐熱温度に対して約１０℃以下となった場合は、容器１と排水部材６２の熱膨張係数差によって、排水スリット６１と排水部材６２との間に空間６４が出きるように、排水スリット６１と排水部材６２の寸法が設定されている。
【００５３】
従って、油分が多い生ごみを処理した場合であっても、容器１底面の排水部６０から自動的に排水・廃油されることになる。容器１と排水部材６２の材料としては、例えば、容器１には熱膨張係数の小さなポリスチレン，ポリカーボネイト，ポリフェニレンエーテルなどを用い、排水部材６２には熱膨張係数の大きなＡＢＳ樹脂，ポリプロピレンなどを用いることができる。
【００５４】
以上のように、容器１の排水部６０を熱膨張係数の異なる材料で構成することにより、自動排水を比較的容易に実現できる。
【００５５】
なお、排水部材６２は、熱膨張係数が大きい材料に限らず、容器１に対して小さい材料（例えばセラミックスや鋳物など）でも良いし、２つ以上の熱膨張係数の異なる材料で排水部６０を構成しても良い。
【００５６】
さらに、形状記憶合金を利用して排水部を構成しても良い。具体的には、例えば前記実施例１のようなシャッター方式を利用して、形状記憶合金とバネなどを用いてシャッターをスライドさせることによって実現することができる。
【実施例３】
【００５７】
図７は、本願発明による生ごみ処理装置の実施例３の制御系統の要部を示すブロック構成図、図８は制御の要部を示すタイミングチャート、図９は処理工程例を示す図、図１０は処理工程移行フロー例を示す図、図１１及び図１２は処理工程移行フローチャートであり、前記実施例と同一又は相当部分には同一符号を用いている。なお、構造的な構成は前記実施例１又は２と同様である。
【００５８】
図７に示すように、装置全体を制御する制御部１００には、前述してきた操作部５３、電源スイッチ５４、温度センサ５１、湿度センサ５２、容器駆動用モータ１６、回転刃駆動用モータ２０、マグネトロン２７、吸気ファン駆動用モータ３０、排気ファン駆動用モータ３４等が接続されている。
【００５９】
回転刃駆動用モータ２０及び容器駆動用モータ１６は、ロータリーエンコーダ信号を検出できるようになっている。この信号は制御部１００に取り込まれ、生ごみの状態を随時自動検出している。すなわち、運転前には、生ごみの過大負荷、過小負荷、無負荷を検知し、正常の生ごみ量の場合のみ運転モードに入るように制御されており、更に正常生ごみ量の場合は初期状態の生ごみの情報が制御部１００に入力される。運転中には、温度センサ５１、湿度センサ５２からの信号、回転刃駆動用モータ２０及び容器駆動用モータ１６からの信号を検出し、マグネトロン２７の加熱時間のデータを随時取り込むことによって生ごみの処理状態を判別している。
【００６０】
処理工程の移行は、温度センサ５１の温度が規定温度以上になった時点で移行したり、湿度センサ５２の湿度が規定湿度以下になった場合に順方向に次工程に進行移行するが、図８では湿度センサ５２の湿度が規定湿度以下になった場合の例である。順方向で進入した場合、回転刃駆動用モータ２０のＯＮ状態より開始し、図８（ａ）に示すように各処理工程毎に設定されている回転刃駆動用モータ２０のＯＮ／ＯＦＦ切り替え時間タイミング及び回転数でＯＮ／ＯＦＦを繰り返す。
【００６１】
また、回転刃駆動用モータ回転後の湿度センサ５２の湿度が規定湿度以上になった場合は、図８（ｂ）に示すように処理工程は逆方向に前工程に後進移行し、事実上ループ部分に入ることとなる。逆方向で進入した場合は回転刃駆動用モータ２０の制御をＯＦＦ状態より開始し、各処理工程毎に設定されている回転刃駆動用モータ２０のＯＮ／ＯＦＦ切り替え時間タイミング及び回転数でＯＮ／ＯＦＦを繰り返す。
【００６２】
具体例として、図９に示すような処理工程１〜８で回転刃２の回転数とＯＮ−ＯＦＦ間欠時間が設定されているとして、図１０に示すように処理工程６→処理工程７→処理工程８の処理工程移行フロー例で、図１１，図１２に示すフローチャートを用いて説明すると次のようになる。
【００６３】
すなわち、図１１に示すように、順方向で処理工程６に進入すると、先ず回転刃２の回転を１０回行い（Ｓ１）、間欠時間として３０秒間停止してから（Ｓ２）、湿度が２０％以下になったか否かをチェックし（Ｓ３）、２０％以下になっていなければＳ１に戻って上記を繰り返す。湿度が２０％以下になれば、順方向で図１２に示す処理工程７に移行する。処理工程７では、先ず回転刃２の回転を２０回行い（Ｓ４）、その直後に湿度が６０％以下であるか否かをチェックする（Ｓ６）。６０％以下であれば、そのまま回転刃２を１０秒停止してから（Ｓ７）、湿度が１０％以下になったか否かをチェックし、以下になっていなければ上記Ｓ４に戻って上記を繰り返し、以下になっていれば順方向で最後の処理工程８に移行する。ところが、処理工程７で回転刃２の回転を２０回行った直後の湿度が６０％以下でなければ、Ｓ５からＳ８に分岐して、回転刃２を３０秒停止してから逆方向で通常の処理工程６に移行する。すなわち、逆方向で処理工程を移行する場合は、移行する処理工程の間欠時間分のＯＦＦ状態より開始することになる。
【００６４】
ここで、逆方向で処理工程移行した場合に回転刃駆動用モータ２０をＯＦＦ状態より開始する理由を説明すると、例えば、生ごみの量が多い場合などは、生ごみの保有水分に比較し、生ごみが水分を放出する表面積が少ないために、粉砕・攪拌した際に水分が一気に放出することになる。従って、処理工程が逆方向に後進移行し、ループする回数が頻繁になる。工程移行する度に回転刃駆動用モータ２０の制御をＯＮ状態から開始すると、生ごみを粉砕・攪拌しすぎて餅状となり、処理に支障を及ぼすことがあるからである。
【００６５】
また、マイクロ波等の照射は時間的に間欠発振とさせ出力コントロールする構成やインバータ制御等により出力コントロールする構成を用いると、最終処理の場合の過熱過剰を防止することが容易になり望ましい。
【００６６】
なお、前記実施例１で示したように、温度センサ５１、湿度センサ５２を吸気側と排気側に各々配置し、外気による補正を可能としているが、排気側に単独で設置し、処理開始時の値を用いて外気補正を行っても良い。また、回転刃駆動用モータ２０及び容器駆動用モータ１６からの信号検出はロータリーエンコーダ信号による回転数、回転速度、回転位置、移動量などの検出に限定されるものではなく、モータの電流値や回転トルクの検出や圧力センサなどでも良い。
【００６７】
また、必ずしも、回転刃駆動用モータ２０、容器駆動用モータ１６、温度センサ５１、湿度センサ５２からの信号の全てを使用する必要はないが、より最適な自動処理プログラムとするためには検知部が多い方が望ましい。
【００６８】
以上説明したように、本実施例では、処理工程をループする条件を設け、任意の処理工程に順方向で進入した場合は回転刃駆動用モータ２０をＯＮ状態より開始し、逆に任意の処理工程に逆方向で進入した場合は回転刃駆動用モータ２０をＯＦＦ状態より開始して、回転刃駆動用モータ２０のＯＮ／ＯＦＦ制御を行うものである。また、乾燥前及び乾燥処理中に温度、湿度、回転刃駆動用モータ信号、容器駆動用モータ信号、加熱時間を検出することによって処理状態を判別し、処理工程を移行し、処理物及び処理状態に応じた最適な粉砕・攪拌、マイクロ波等の照射を行う機能を設けている。
【００６９】
その結果、固体の大きさ、容量、重量、含水率、粘度等が一定でない多種多様の生ごみを処理するにあたり、簡単に自動処理可能な利便性の高い生ごみ処理装置を実現できる。
【図面の簡単な説明】
【００７０】
【図１】本願発明による生ごみ処理装置の実施例１の要部構成を示す縦断面図。
【図２】同じく、その容器の拡大図。
【図３】同じく、容器底面の排水部の開状態を示す図。
【図４】同じく閉状態を示す図。
【図５】本願発明による生ごみ処理装置の実施例２において生ごみを収納する容器の縦断面図。
【図６】図５の要部拡大図。
【図７】本願発明による生ごみ処理装置の実施例３の制御系統の要部を示すブロック構成図。
【図８】制御の要部を示すタイミングチャート。
【図９】処理工程例を示す図。
【図１０】処理工程移行フロー例を示す図。
【図１１】処理工程移行フローチャート。
【図１２】同じく処理工程移行フローチャート。
【符号の説明】
【００７１】
１  容器
２  回転刃
３  回転軸
６  排水部
７  排水スリット
８  摘み
９  スライド式シャッター
１３  本体ケース
１４  処理室
１６  容器駆動用モータ
２０  回転刃駆動用モータ
２７  マグネトロン
２９  吸気ファン
３０  吸気ファン駆動用モータ
３３  排気ファン
３４  排気ファン駆動用モータ
５１  温度センサ
５２  湿度センサ
６０  排水部
６１  排水スリット
６２  排水部材
６３  スリット
６４  空間
１００  制御部
【図１】
2005103414.tif 000003
【図２】
2005103414.tif 000004
【図３】
2005103414.tif 000005
【図４】
2005103414.tif 000006
【図５】
2005103414.tif 000007
【図６】
2005103414.tif 000008
【図７】
2005103414.tif 000009
【図８】
2005103414.tif 000010
【図９】
2005103414.tif 000011
【図１０】
2005103414.tif 000012
【図１１】
2005103414.tif 000013
【図１２】
2005103414.tif 000014